【事件の表示】
　特許第２９９８０３５号「遊技機」の請求項１に係る特許に対する特許異議の申立てについて、次のとおり決定する。
【結　論】
　訂正を認める。
　特許第２９９８０３５号の請求項１に係る特許を維持する。
【理　由】
１・手続の経緯
　特許第２９９８０３５号の請求項１に係る発明は、平成２年９月２６日に特許出願され、平成１１年１１月５日にその特許権の設定登録がなされ、その後、河井清悦（以下、「申立人」という）より特許異議の申立てがなされ、取消の理由が通知され、その指定期間内である平成１２年１１月２７日に訂正請求がなされたものである。
２・訂正の適否についての判断
（１）訂正の内容
ア・訂正事項ａ
　明細書の特許請求の範囲の請求項１中の「変換態様を、第１の変換態様と、該第１の変換態様」を、「変換態様を、前記可動部材を第１の開放時間で前記第２状態に変換する第１の変換態様と、前記可動部材を前記第１の開放時間と異なる第２の開放時間で前記第２状態に変換する該第１の変換態様」と訂正する。
イ・訂正事項ｂ
　明細書の〈課題を解決するための手段〉中の「変換態様を、第１の変換態様と、該第１の変換態様」を、「変換態様を、前記可動部材を第１の開放時間で前記第２状態に変換する第１の変換態様と、前記可動部材を前記第１の開放時間と異なる第２の開放時間で前記第２状態に変換する該第１の変換態様」と訂正する。
ウ・訂正事項ｃ
　明細書の〈作用〉中の「変換態様を、第１の変換態様から該第１の変換態様」を、「変換態様を、前記可動部材を第１の開放時間で前記第２状態に変換する第１の変換態様から、前記可動部材を前記第１の開放時間と異なる第２の開放時間で前記第２状態に変換する該第１の変換態様」と訂正する。
エ・訂正事項ｄ
　明細書の〈発明の効果〉中の「変換態様を、第１の変換態様から該第１の変換態様」を、「変換態様を、前記可動部材を第１の開放時間で前記第２状態に変換する第１の変換態様から、前記可動部材を前記第１の開放時間と異なる第２の開放時間で前記第２状態に変換する該第１の変換態様」と訂正する。
（２）訂正の目的の適否、新規事項の有無及び拡張・変更の存否
　上記訂正事項ａは、特許請求の範囲の減縮を目的とした明細書の訂正に該当し、また、上記訂正事項ｂ、ｃ及びｄは、上記訂正事項ａと整合を図るものであるから、明りょうでない記載の釈明を目的とした明細書の訂正に該当し、いずれも、新規事項の追加に該当せず、実質的に特許請求の範囲を拡張し、変更するものではない。
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
３・特許異議の申立てについての判断
（１）申立ての理由の概要
　申立人は、
甲第１号証（特願平２−２３８７８９号（特開平４−１１７９８０号公報））、
甲第２号証（特開昭６３−１６４９７９号公報）、
甲第３号証（特開昭６３−２６２１６９号公報）、
甲第４号証（特開平２−１０４３７９号）、
甲第５号証（特開平１−１３９０８７号）、
甲第６号証（特開平１−２１８４８２号）、
及び
甲第７号証（特開昭６３−１１１８５号公報）
を引用し、
本件特許の請求項１に係る発明は、
甲第１号証に記載された発明と同一であるから、その特許は、特許法第２９条の２第１項の規定に違反してなされたものであり、
又、
甲第２号証乃至甲第７号証に記載された各発明に基づいて当業者が容易に発明をすることができたものであるから、その特許は、特許法第２９条第２項の規定に違反してなされたものであり、
その特許は、取り消されるべきものである旨主張している。
（２）本件の発明
　上記２・で示したように上記訂正が認められたので、本件特許第２９９８０３５号の請求項１に係る発明は、上記訂正に係る訂正明細書の特許請求の範囲の請求項１に記載された事項に特定される次のとおりのものである。
「遊技者にとって不利な状態と遊技者にとって有利な状態とに変換可能な主変動入賞装置と、
　遊技球が入賞可能な始動入賞口を有する始動入賞手段と、
　上記始動入賞口への遊技球の入賞に基づき所定の遊技を実行し、該所定の遊技の結果態様が予め定められた特別の結果態様となったことに関連して、上記主変動入賞装置を規定に基づき遊技者にとって有利な状態に変換可能な特別遊技を起生させる制御手段と、
　を備えた遊技機において、
　上記始動入賞手段は、上記始動入賞口への遊技球の入賞状態が、遊技者にとって不利な第１状態と、遊技者にとって有利な第２状態とに電気的な作用に基づき変換可能な可動部材を有する補助変動入賞装置として構成され、
　上記制御手段は、所定遊技条件の成立に基づき上記補助変動入賞装置を所定態様により上記第２状態に変換可能な補助変動入賞装置制御手段を備え、
　上記補助変動入賞装置制御手段には、上記補助変動入賞装置を上記第２状態に変換させる際の変換態様を、前記可動部材を第１の開放時間で前記第２状態に変換する第１の変換態様と、前記可動部材を前記第１の開放時間と異なる第２の開放時間で前記第２状態に変換する該第１の変換態様よりも遊技者に有利な第２の変換態様と、の何れかに変更制御可能な変換条件変更制御手段を含み、
　上記特別遊技の起生に関連して、上記変換条件変更制御手段が上記変換態様を上記第１の変換態様から第２の変換態様に変更制御する特定遊技状態が発生するものとし、当該特定遊技状態が所定の終了条件により終了するまで、上記所定遊技条件の成立に基づく補助変動入賞装置の第２状態への変換制御が上記第２の変換態様により行われるようにしたことを特徴とする遊技機」
（３）特許法第２９条の２第１項違反について
　甲第１号証の願書に最初に添付した明細書又は図面（先願明細書）には、
特に、
「普通可変入賞球装置４に入賞したパチンコ玉を始動入賞玉検出器により検出し、その検出出力に基づいて特別可変表示装置１が可変表示されるようにしてもよい」（第５頁左上欄第１７乃至２０行）なる記載、
「前述した１６回の繰返し継続制御が終了した後に、普通可変表示装置２が当りとなる識別情報（たとえば７７や３３）に表示制御される確率を向上させた集中ゲーム状態が発生する」（第４頁左下欄第１８行乃至右下欄第２行）なる記載、
からみて、
「遊技者にとって不利な状態と遊技者にとって有利な状態とに変換可能な特別可変入賞球装置３と、
　打玉が入賞可能な始動入賞口を有する普通可変入賞球装置４と、
　上記始動入賞口への打玉の入賞に基づき所定の遊技を実行し、該所定の遊技の結果態様が予め定められた特別の結果態様となったことに関連して、上記特別可変入賞球装置３を規定に基づき遊技者にとって有利な状態に変換可能な特別遊技を起生させるマイクロコンピュータ６０と、
　を備えた遊技機において、
　上記普通可変入賞球装置４は、上記始動入賞口への打玉の入賞状態が、遊技者にとって不利な第２の状態と、遊技者にとって有利な第１の状態とに電気的な作用に基づき変換可能な可動部材４ａ，４ｂを有する普通可変入賞球装置４として構成され、
　上記マイクロコンピュータ６０は、普通始動入賞玉検出手段の検出出力に基づいて普通可変表示装置２を可変表示させ、該普通可変表示装置２の停止時の表示結果が所定の識別情報になった場合に上記普通可変入賞球装置４を所定態様により上記第１の状態に変換可能な普通可変入賞球装置４制御手段を備え、
　上記普通可変入賞球装置４制御手段には、普通可変表示装置２の停止時の表示結果が前記所定の識別情報になる確率を変動制御する確率変動制御手段を含み、
　上記特別遊技の終了に関連して、上記確率変動制御手段が、普通可変表示装置２の停止時の識別情報が前記所定の識別情報となる確率を向上させる集中ゲーム状態を発生させるものとし、当該集中ゲーム状態が所定の終了条件により終了するまで、上記普通可変表示装置２の停止時の表示結果が所定の識別情報になった場合の普通可変入賞球装置４の第１の状態への変換制御が上記集中ゲーム状態により行われるようにした遊技機」
を構成とする発明が記載されているものと認められる。
　そこで、本件請求項１に係る発明（前者）と甲第１号証の先願明細書に記載された発明（後者）とを対比すると、
後者の
「特別可変入賞球装置３」、「打玉」、「普通可変入賞球装置４」、「マイクロコンピュータ６０」、「第２の状態」、「第１の状態」、「普通始動入賞玉検出手段の検出出力に基づいて普通可変表示装置２を可変表示させ、該普通可変表示装置２の停止時の表示結果が所定の識別情報になった場合に」及び「普通可変表示装置２の停止時の表示結果が所定の識別情報になった場合の」
がそれぞれの機能に照らし、それぞれ
前者の
「主変動入賞装置」、「遊技球」、「始動入賞手段、補助変動入賞装置」、「制御手段」、「第１状態」、「第２状態」、「所定遊技条件の成立に基づき」及び「所定遊技条件の成立に基づく」
に相当するものと認められるから、
両者は、
「遊技者にとって不利な状態と遊技者にとって有利な状態とに変換可能な主変動入賞装置と、
　遊技球が入賞可能な始動入賞口を有する始動入賞手段と、
　上記始動入賞口への遊技球の入賞に基づき所定の遊技を実行し、該所定の遊技の結果態様が予め定められた特別の結果態様となったことに関連して、上記主変動入賞装置を規定に基づき遊技者にとって有利な状態に変換可能な特別遊技を起生させる制御手段と、
　を備えた遊技機において、
　上記始動入賞手段は、上記始動入賞口への遊技球の入賞状態が、遊技者にとって不利な第１状態と、遊技者にとって有利な第２状態とに電気的な作用に基づき変換可能な可動部材を有する補助変動入賞装置として構成され、
　上記制御手段は、所定遊技条件の成立に基づき上記補助変動入賞装置を所定態様により上記第２状態に変換可能な補助変動入賞装置制御手段を備え、
　上記補助変動入賞装置制御手段には、変更乃至変動制御手段を含む遊技機」である
点において一致し、
前者においては、「変更乃至変動制御手段」が、補助変動入賞装置を第２状態に変換させる際の変換態様を、可動部材を第１の開放時間で前記第２状態に変換する第１の変換態様と、前記可動部材を前記第１の開放時間と異なる第２の開放時間で前記第２状態に変換する該第１の変換態様よりも遊技者に有利な第２の変換態様と、の何れかに変更制御可能な変換条件変更制御手段であり、該変換条件変更制御手段によって、特別遊技の起生に関連して、上記変換態様を上記第１の変換態様から第２の変換態様に変更制御する特定遊技状態が発生するものとし、当該特定遊技状態が所定の終了条件により終了するまで、上記所定遊技条件の成立に基づく補助変動入賞装置の第２状態への変換制御が上記第２の変換態様により行われるようになっている、
のに対し、
後者においては、「変更乃至変動制御手段」が、普通可変表示装置２の停止時の表示結果が所定の識別情報になる確率を変動制御する確率変動制御手段であり、該確率変動制御手段によって、特別遊技の終了に関連して、普通可変表示装置２の停止時の識別情報が前記所定の識別情報となる確率を向上させる集中ゲーム状態を発生させるものとし、当該集中ゲーム状態が所定の終了条件により終了するまで、上記所定遊技条件の成立に基づく補助変動入賞装置の第２状態への変換制御が上記集中ゲーム状態により行われるようになっている、
点において相違するものと認められる。
　そして、このような相違がある以上、両者が同一であるとは到底いえない。
（４）特許法第２９条第２項違反について
　甲第２号証には、
特に、
「予め定められた入賞口へ打球が入賞することにより、機械的または電気的に入賞制御部材２８を作動させてもよく」（第４頁左上欄第１０乃至１２行）なる記載、
からみて、
「遊技者にとって不利な状態と遊技者にとって有利な状態とに変換可能な可変入賞球装置４１と、
　打球が入賞可能な始動入賞口を有する始動入賞領域２９と、
　上記始動入賞口への遊技球の入賞に基づき所定の遊技を実行し、該所定の遊技の結果態様が予め定められた特別の結果態様となったことに関連して、上記可変入賞球装置４１を規定に基づき遊技者にとって有利な状態に変換可能な特別遊技を起生させる制御手段と、
　を備えた遊技機において、
　上記始動入賞領域２９は、上記始動入賞口への打球の入賞状態が、遊技者にとって不利な第１状態と、遊技者にとって有利な第２状態とに電気的な作用に基づき変換可能な入賞制御部材２８を有する始動入賞領域２９として構成され、
　上記制御手段は、予め定められた入賞口へ打球が入賞することにより上記始動入賞領域２９を所定態様により上記第２状態に変換可能な補助変動入賞装置制御手段を備える遊技機」を構成とする発明が、
甲第３号証には、
「遊技者にとって不利な状態と遊技者にとって有利な状態とに変換可能な第１変動入賞装置４と、
　打球が入賞可能な始動入賞口を有する特定入賞口９と、
　上記始動入賞口への遊技球の入賞に基づき所定の遊技を実行し、該所定の遊技の結果態様が予め定められた特別の結果態様となったことに関連して、上記第１変動入賞装置４を規定に基づき遊技者にとって有利な状態に変換可能な特別遊技を起生させる制御装置と、
　を備えた遊技機」を構成とする発明が、
甲第４号証には、
「遊技者にとって不利な状態と遊技者にとって有利な状態とに変換可能な変動入賞装置２０と、
　遊技球が入賞可能な始動入賞口を有する特定入賞口８Ｌ、８Ｒと、
　上記始動入賞口への遊技球の入賞に基づき所定の遊技を実行し、該所定の遊技の結果態様が予め定められた特別の結果態様となったことに関連して、上記変動入賞装置２０を規定に基づき遊技者にとって有利な状態に変換可能な特別遊技を起生させる電気回路部と、
　を備えた遊技機において、
　上記特定入賞口８Ｌ、８Ｒは、上記始動入賞口への遊技球の入賞状態が、遊技者にとって不利な第１状態と、遊技者にとって有利な第２状態とに電気的な作用に基づき変換可能な可動片４２ａ、４２ｂを有する可変入賞装置として構成され、
　上記電気回路部は、発射球検出手段１４からの検出信号に応じて乱数を発生する乱数発生手段６３の乱数値が予め定めた数に当ると上記可変入賞装置を所定態様により上記第２状態に変換可能な制御部６５を備える遊技機」を構成とする発明が、
甲第５号証には、
「遊技者にとって不利な状態と遊技者にとって有利な状態とに変換可能な変動入賞装置１０と、
　打球が入賞可能な始動入賞口を有する始動口５と、
　上記始動入賞口への遊技球の入賞に基づき所定の遊技を実行し、該所定の遊技の結果態様が予め定められた特別の結果態様となったことに関連して、上記変動入賞装置１０を規定に基づき遊技者にとって有利な状態に変換可能な特別遊技を起生させる制御手段２００と、
　を備えた遊技機において、
　上記変動入賞装置１０は、入賞口１１への打球の入賞状態が、遊技者にとって不利な第１状態と、遊技者にとって有利な第２状態とに電気的な作用に基づき変換可能な開閉扉１３、案内部材１４を有する変動入賞装置１０として構成され、
　上記制御手段２００には、上記変動入賞装置１０を上記第２状態に変換させる際の変換態様を、前記開閉扉１３、案内部材１４を第１の開放時間で前記第２状態に変換する第１の変換態様と、前記開閉扉１３、案内部材１４を前記第１の開放時間と異なる第２の開放時間で前記第２状態に変換する該第１の変換態様よりも遊技者に有利な第２の変換態様と、の何れかに変更制御可能な変換条件変更制御手段を含み、
　上記特別遊技の起生に関連して、上記変換条件変更制御手段が上記変換態様を上記第１の変換態様から第２の変換態様に変更制御する特定遊技状態が発生するものとし、当該特定遊技状態が所定の終了条件により終了するまで、上記所定遊技条件の成立に基づく変動入賞装置１０の第２状態への変換制御が上記第２の変換態様により行われるようにした遊技機」を構成とする発明が、
甲第６号証には、
「遊技者にとって不利な状態と遊技者にとって有利な状態とに変換可能な変動入賞装置５と、
　打球が入賞可能な始動入賞口を有する始動入賞装置６，８と、
　上記始動入賞口への打球の入賞に基づき所定の遊技を実行し、該所定の遊技の結果態様が予め定められた特別の結果態様となったことに関連して、上記変動入賞装置５を規定に基づき遊技者にとって有利な状態に変換可能な特別遊技を起生させるコンピュータシステムと、
　を備えた遊技機において、
　上記変動入賞装置５は、入賞口５１１への打球の入賞状態が、遊技者にとって不利な第１状態と、遊技者にとって有利な第２状態とに電気的な作用に基づき変換可能な開閉扉５１３，案内部材５１４を有する変動入賞装置５として構成され、
　上記コンピュータシステムには、上記変動入賞装置５を上記第２状態に変換させる際の変換態様を、前記開閉扉５１３，案内部材５１４を第１の開放時間で前記第２状態に変換する第１の変換態様と、前記開閉扉５１３，案内部材５１４を前記第１の開放時間と異なる第２の開放時間で前記第２状態に変換する該第１の変換態様よりも遊技者に有利な第２の変換態様と、の何れかに変更制御可能な変換条件変更制御手段を含み、
　上記特別遊技の起生に関連して、上記変換条件変更制御手段が上記変換態様を上記第１の変換態様から第２の変換態様に変更制御する特定遊技状態が発生するものとし、当該特定遊技状態が所定の終了条件により終了するまで、上記所定遊技条件の成立に基づく変動入賞装置５の第２状態への変換制御が上記第２の変換態様により行われるようにした遊技機」を構成とする発明が、
甲第７号証には、
「遊技者にとって不利な状態と遊技者にとって有利な状態とに変換可能な入賞装置１５と、
　打球が入賞可能な始動入賞口を有する入賞口２６〜２８と、
　上記始動入賞口への遊技球の入賞に基づき所定の遊技を実行し、該所定の遊技の結果態様が予め定められた特別の結果態様となったことに関連して、上記入賞装置１５を規定に基づき遊技者にとって有利な状態に変換可能な特別遊技を起生させる制御装置と、
　を備えたパチンコ機において、
　上記入賞装置１５は、開口部８７への打球の入賞状態が、遊技者にとって不利な第１状態と、遊技者にとって有利な第２状態とに電気的な作用に基づき変換可能なゲート９３を有する入賞装置１５として構成され、
　上記制御装置には、上記入賞装置１５を上記第２状態に変換させる際の変換態様を、前記ゲート９３を第１の開放時間で前記第２状態に変換する第１の変換態様と、前記ゲート９３を前記第１の開放時間と異なる第２の開放時間で前記第２状態に変換する該第１の変換態様よりも遊技者に有利な第２の変換態様と、の何れかに変更制御可能な変換条件変更制御手段を含み、
　上記特別遊技の起生に関連して、上記変換条件変更制御手段が上記変換態様を上記第１の変換態様から第２の変換態様に変更制御する特定遊技状態が発生するものとし、当該特定遊技状態が所定の終了条件により終了するまで、上記所定遊技条件の成立に基づく入賞装置１５の第２状態への変換制御が上記第２の変換態様により行われるようにしたパチンコ機」を構成とする発明が、
それぞれ記載されていると認めることができる。
　そこで、本件請求項１に係る発明（前者）と甲第２号証及び第４号証に記載された各発明とを対比すると、
甲第２号証に記載された発明の
「可変入賞球装置４１」、「打球」、「始動入賞領域２９」、「入賞制御部材２８」及び「予め定められた入賞口へ打球が入賞することにより」
がそれぞれの機能に照らし、それぞれ
前者の
「主変動入賞装置」、「遊技球」、「始動入賞手段、補助変動入賞装置」、「可動部材」及び「所定遊技条件の成立に基づき」
に、
又、
甲第４号証に記載された発明の
「変動入賞装置２０」、「特定入賞口８Ｌ、８Ｒ」、「電気回路部」、「可動片４２ａ、４２ｂ」、「可変入賞装置」、「発射球検出手段１４からの検出信号に応じて乱数を発生する乱数発生手段６３の乱数値が予め定めた数に当ると」及び「制御部６５」
がそれぞれの機能に照らし、それぞれ
前者の
「主変動入賞装置」、「始動入賞手段」、「制御手段」、「可動部材」、「補助変動入賞装置」、「所定遊技条件の成立に基づき」及び「補助変動入賞装置制御手段」
に、
相当するものと認められるから、
前者と甲第２号証及び第４号証に記載された各発明とは、
「遊技者にとって不利な状態と遊技者にとって有利な状態とに変換可能な主変動入賞装置と、
　遊技球が入賞可能な始動入賞口を有する始動入賞手段と、
　上記始動入賞口への遊技球の入賞に基づき所定の遊技を実行し、該所定の遊技の結果態様が予め定められた特別の結果態様となったことに関連して、上記主変動入賞装置を規定に基づき遊技者にとって有利な状態に変換可能な特別遊技を起生させる制御手段と、
　を備えた遊技機において、
　上記始動入賞手段は、上記始動入賞口への遊技球の入賞状態が、遊技者にとって不利な第１状態と、遊技者にとって有利な第２状態とに電気的な作用に基づき変換可能な可動部材を有する補助変動入賞装置として構成され、
　上記制御手段は、所定遊技条件の成立に基づき上記補助変動入賞装置を所定態様により上記第２状態に変換可能な補助変動入賞装置制御手段を備える遊技機」
である点において一致するものの、
甲第２号証及び第４号証に記載された各発明には、
前者の構成要件である、
「補助変動入賞装置制御手段には、補助変動入賞装置を第２状態に変換させる際の変換態様を、可動部材を第１の開放時間で前記第２状態に変換する第１の変換態様と、前記可動部材を前記第１の開放時間と異なる第２の開放時間で前記第２状態に変換する該第１の変換態様よりも遊技者に有利な第２の変換態様と、の何れかに変更制御可能な変換条件変更制御手段を含み、
　特別遊技の起生に関連して、上記変換条件変更制御手段が上記変換態様を上記第１の変換態様から第２の変換態様に変更制御する特定遊技状態が発生するものとし、当該特定遊技状態が所定の終了条件により終了するまで、所定遊技条件の成立に基づく補助変動入賞装置の第２状態への変換制御が上記第２の変換態様により行われるようにした」
点が備わっていないものと認められる。
　そこで、甲第３号証、甲第５号証乃至甲第７号証に記載された各発明に、前記前者の構成要件が備わっているかどうかについて検討する。
　甲第３号証に記載された発明の
「第１変動入賞装置４」、「打球」、「特定入賞口９」及び「制御装置」
がそれぞれの機能に照らし、それぞれ
前者の
「主変動入賞装置」、「遊技球」、「始動入賞手段」及び「制御手段」
に相当するものと認められるから、
甲第３号証に記載された発明には、
「遊技者にとって不利な状態と遊技者にとって有利な状態とに変換可能な主変動入賞装置と、
　遊技球が入賞可能な始動入賞口を有する始動入賞手段と、
　上記始動入賞口への遊技球の入賞に基づき所定の遊技を実行し、該所定の遊技の結果態様が予め定められた特別の結果態様となったことに関連して、上記主変動入賞装置を規定に基づき遊技者にとって有利な状態に変換可能な特別遊技を起生させる制御手段と、
　を備えた遊技機」
という構成が備わっており、
甲第５号証に記載された発明の
「変動入賞装置１０」、「打球」及び「始動口５」
がそれぞれの機能に照らし、それぞれ
前者の
「主変動入賞装置」、「遊技球」及び「始動入賞手段」
に相当するものと認められるから、
甲第５号証に記載された発明には、
「遊技者にとって不利な状態と遊技者にとって有利な状態とに変換可能な主変動入賞装置と、
　遊技球が入賞可能な始動入賞口を有する始動入賞手段と、
　上記始動入賞口への遊技球の入賞に基づき所定の遊技を実行し、該所定の遊技の結果態様が予め定められた特別の結果態様となったことに関連して、上記主変動入賞装置を規定に基づき遊技者にとって有利な状態に変換可能な特別遊技を起生させる制御手段と、
　を備えた遊技機において、
　上記主変動入賞装置は、入賞口１１への遊技球の入賞状態が、遊技者にとって不利な第１状態と、遊技者にとって有利な第２状態とに電気的な作用に基づき変換可能な開閉扉１３、案内部材１４を有する主変動入賞装置として構成され、
　上記制御手段には、上記主変動入賞装置を上記第２状態に変換させる際の変換態様を、前記開閉扉１３、案内部材１４を第１の開放時間で前記第２状態に変換する第１の変換態様と、前記開閉扉１３、案内部材１４を前記第１の開放時間と異なる第２の開放時間で前記第２状態に変換する該第１の変換態様よりも遊技者に有利な第２の変換態様と、の何れかに変更制御可能な変換条件変更制御手段を含み、
　上記特別遊技の起生に関連して、上記変換条件変更制御手段が上記変換態様を上記第１の変換態様から第２の変換態様に変更制御する特定遊技状態が発生するものとし、当該特定遊技状態が所定の終了条件により終了するまで、上記所定遊技条件の成立に基づく主変動入賞装置の第２状態への変換制御が上記第２の変換態様により行われるようにした遊技機」
という構成が備わっており、
甲第６号証に記載された発明の
「変動入賞装置５」、「打球」、「始動入賞装置６，８」及び「コンピュータシステム」
がそれぞれの機能に照らし、それぞれ
前者の
「主変動入賞装置」、「遊技球」、「始動入賞手段」及び「制御手段」
に相当するものと認められるから、
甲第６号証に記載された発明には、
「遊技者にとって不利な状態と遊技者にとって有利な状態とに変換可能な主変動入賞装置と、
　遊技球が入賞可能な始動入賞口を有する始動入賞手段と、
　上記始動入賞口への遊技球の入賞に基づき所定の遊技を実行し、該所定の遊技の結果態様が予め定められた特別の結果態様となったことに関連して、上記主変動入賞装置を規定に基づき遊技者にとって有利な状態に変換可能な特別遊技を起生させる制御手段と、
　を備えた遊技機において、
　上記主変動入賞装置は、入賞口５１１への遊技球の入賞状態が、遊技者にとって不利な第１状態と、遊技者にとって有利な第２状態とに電気的な作用に基づき変換可能な開閉扉５１３，案内部材５１４を有する主変動入賞装置として構成され、
　上記制御手段には、上記主変動入賞装置を上記第２状態に変換させる際の変換態様を、前記開閉扉５１３，案内部材５１４を第１の開放時間で前記第２状態に変換する第１の変換態様と、前記開閉扉５１３，案内部材５１４を前記第１の開放時間と異なる第２の開放時間で前記第２状態に変換する該第１の変換態様よりも遊技者に有利な第２の変換態様と、の何れかに変更制御可能な変換条件変更制御手段を含み、
　上記特別遊技の起生に関連して、上記変換条件変更制御手段が上記変換態様を上記第１の変換態様から第２の変換態様に変更制御する特定遊技状態が発生するものとし、当該特定遊技状態が所定の終了条件により終了するまで、上記所定遊技条件の成立に基づく主変動入賞装置の第２状態への変換制御が上記第２の変換態様により行われるようにした遊技機」
という構成が備わっており、
甲第７号証に記載された発明の
「入賞装置１５」、「打球」、「入賞口２６〜２８」、「制御装置」及び「パチンコ機」
がそれぞれの機能に照らし、それぞれ
前者の
「主変動入賞装置」、「遊技球」、「始動入賞手段」、「制御手段」及び「遊技機」
に相当するものと認められるから、
甲第７号証に記載された発明には、
「遊技者にとって不利な状態と遊技者にとって有利な状態とに変換可能な主変動入賞装置と、
　遊技球が入賞可能な始動入賞口を有する始動入賞手段と、
　上記始動入賞口への遊技球の入賞に基づき所定の遊技を実行し、該所定の遊技の結果態様が予め定められた特別の結果態様となったことに関連して、上記主変動入賞装置を規定に基づき遊技者にとって有利な状態に変換可能な特別遊技を起生させる制御手段と、
　を備えた遊技機において、
　上記主変動入賞装置は、開口部８７への遊技球の入賞状態が、遊技者にとって不利な第１状態と、遊技者にとって有利な第２状態とに電気的な作用に基づき変換可能なゲート９３を有する主変動入賞装置として構成され、
　上記制御手段には、上記主変動入賞装置を上記第２状態に変換させる際の変換態様を、前記ゲート９３を第１の開放時間で前記第２状態に変換する第１の変換態様と、前記ゲート９３を前記第１の開放時間と異なる第２の開放時間で前記第２状態に変換する該第１の変換態様よりも遊技者に有利な第２の変換態様と、の何れかに変更制御可能な変換条件変更制御手段を含み、
　上記特別遊技の起生に関連して、上記変換条件変更制御手段が上記変換態様を上記第１の変換態様から第２の変換態様に変更制御する特定遊技状態が発生するものとし、当該特定遊技状態が所定の終了条件により終了するまで、上記所定遊技条件の成立に基づく主変動入賞装置の第２状態への変換制御が上記第２の変換態様により行われるようにした遊技機」
という構成が備わっているものの、
甲第３号証、甲第５号証乃至甲第７号証に記載された各発明の「始動入賞手段」は、そもそも「可動部材を有する補助変動入賞装置」として構成されていないから、甲第３号証、甲第５号証乃至甲第７号証に記載された各発明に、前記前者の構成要件が備わっているとは到底いえない。
　又、甲第５号証乃至甲第７号証に記載された各発明には、「主変動入賞装置の制御手段に変換条件変更制御手段を含ませて、主変動入賞装置を遊技者に有利な第２状態に変換させる際の変換態様を、可動部材を第１の開放時間で前記第２状態に変換する第１の変換態様と、前記可動部材を前記第１の開放時間と異なる第２の開放時間で前記第２状態に変換する該第１の変換態様よりも遊技者に有利な第２の変換態様と、の何れかに変更制御可能とし、特別遊技の起生に関連して、上記変換条件変更制御手段により、上記変換態様を上記第１の変換態様から第２の変換態様に変更制御する特定遊技状態を発生させるものとし、当該特定遊技状態が所定の終了条件により終了するまで、上記所定遊技条件の成立に基づく主変動入賞装置の第２状態への変換制御が上記第２の変換態様により行われるようにする」構成、すなわち、「補助変動入賞装置」についてではなく「主変動入賞装置」についてではあるが、前記前者の構成要件と同様の構成、が備わっているものと認められる。
　しかし、「主変動入賞装置」と「始動入賞手段でもある補助変動入賞装置」は、それぞれの機能を異にするから、「主変動入賞装置」に関わる甲第５号証乃至甲第７号証に記載された各発明の構成を、甲第２号証及び甲第４号証に記載された各発明の「補助変動入賞装置」に適用することは、当業者といえども直ちには、すなわち、容易ならざる工夫を要せずには、できないというべきである。
　しかも、本件請求項１に係る発明は、前記構成要件によって、明細書に記載された
「所定の終了条件により特定遊技状態が終了するまで補助変動入賞装置の変換態様は遊技者に有利な第２の変換態様となって、特別遊技以外の遊技要素にも遊技者にとって有利な状態を発生することができる。これにより、遊技に幅のある遊技機を提供することができ、遊技者の興趣を効果的に高めることが可能となる」（訂正明細書第１６頁第２４乃至２９行）、「変換条件変更制御手段による第２の変換態様への変更は、特別遊技の起生に関連して発生する特定遊技状態において行うものとしたので、主変動入賞装置に関わる遊技（特別遊技）と、補助変動入賞装置に関わる遊技とが、相互に関連して遊技実行条件達成の難易度が変化することとなり、従来にない斬新で興趣の高い遊技を実現することができる」（訂正明細書第１７頁第６乃至１０行）
という効果を奏するものと認められる。
　してみると、本件請求項１に係る発明は、甲第２号証乃至甲第７号証に記載された各発明に基づいて当業者が容易に発明をすることができたものということはできない。
（５）むすび
　以上のとおりであるから、特許異議申立ての理由及び証拠によっては、本件請求項１に係る発明の特許を取り消すことはできない。
　又、他に本件請求項１に係る発明の特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年６月５日（２００１．６．５）
【訂正の要旨】
（１）訂正の要旨
ア・訂正事項ａ
　明細書の特許請求の範囲の請求項１中の「変換態様を、第１の変換態様と、該第１の変換態様」を、特許請求の範囲の減縮を目的として、「変換態様を、前記可動部材を第１の開放時間で前記第２状態に変換する第１の変換態様と、前記可動部材を前記第１の開放時間と異なる第２の開放時間で前記第２状態に変換する該第１の変換態様」と訂正する。
イ・訂正事項ｂ
　明細書の〈課題を解決するための手段〉中の「変換態様を、第１の変換態様と、該第１の変換態様」を、明りょうでない記載の釈明を目的として、「変換態様を、前記可動部材を第１の開放時間で前記第２状態に変換する第１の変換態様と、前記可動部材を前記第１の開放時間と異なる第２の開放時間で前記第２状態に変換する該第１の変換態様」と訂正する。
ウ・訂正事項ｃ
　明細書の〈作用〉中の「変換態様を、第１の変換態様から該第１の変換態様」を、明りょうでない記載の釈明を目的として、「変換態様を、前記可動部材を第１の開放時間で前記第２状態に変換する第１の変換態様から、前記可動部材を前記第１の開放時間と異なる第２の開放時間で前記第２状態に変換する該第１の変換態様」と訂正する。
エ・訂正事項ｄ
　明細書の〈発明の効果〉中の「変換態様を、第１の変換態様から該第１の変換態様」を、明りょうでない記載の釈明を目的として、「変換態様を、前記可動部材を第１の開放時間で前記第２状態に変換する第１の変換態様から、前記可動部材を前記第１の開放時間と異なる第２の開放時間で前記第２状態に変換する該第１の変換態様」と訂正する。
（５４）【発明の名称】
遊技機
（５７）【特許請求の範囲】
　遊技者にとって不利な状態と遊技者にとって有利な状態とに変換可能な主変動入賞装置と、
　遊技球が入賞可能な始動入賞口を有する始動入賞手段と、
　上記始動入賞口ヘの遊技球の入賞に基づき所定の遊技を実行し、該所定の遊技の結果態様が予め定められた特別の結果態様となったことに関連して、上記主変動入賞装置を規定に基づき遊技者にとって有利な状態に変換可能な特別遊技を起生させる制御手段と、
　を備えた遊技機において、
　上記始動入賞手段は、上記始動入賞口への遊技球の入賞状態が、遊技者にとって不利な第１状態と、遊技者にとって有利な第２状態とに電気的な作用に基づき変換可能な可動部材を有する補助変動入賞装置として構成され、
　上記制御手段は、所定遊技条件の成立に基づき上記補助変動入賞装置を所定態様により上記第２状態に変換可能な補助変動入賞装置制御手段を備え、
　上記補助変動入賞装置制御手段には、上記補助変動入賞装置を上記第２状態に変換させる際の変換態様を、
前記可動部材を第１の開放時間で前記第２状態に変換する
前記可動部材を前記第１の開放時間と異なる第２の開放時間で前記第２状態に変換する
　上記特別遊技の起生に関連して、上記変換条件変更制御手段が上記変換態様を上記第１の変換態様から第２の変換態様に変更制御する特定遊技状態が発生するものとし、当該特定遊技状態が所定の終了条件により終了するまで、上記所定遊技条件の成立に基づく補助変動入賞装置の第２状態への変換制御が上記第２の変換態様により行われるようにしたことを特徴とする遊技機。
【発明の詳細な説明】
　〈産業上の利用分野〉
　本発明は、遊技者にとって不利な状態と遊技者にとって有利な状態とに変換可能な主変動入賞装置と、遊技球が入賞可能な始動入賞口を有する始動入賞手段と、上記始動入賞口への遊技球の入賞に基づき所定の遊技を実行し、該所定の遊技の結果態様が予め定められた特別の結果態様となったことに関連して、上記主変動入賞装置を規定に基づき遊技者にとって有利な状態に変換可能な特別遊技を起生させる制御手段と、を備えた遊技機に関する。
〈従来の技術〉
　従来、代表的な遊技機であるパチンコ遊技機では、始動入賞口への遊技球の入賞に基づき可変表示装置で可変表示を行い、該可変表示の結果に基づき特別遊技を起生する機種や、始動入賞口への遊技球の入賞に基づき変動入賞装置を遊技者にとって不利な状態から遊技者にとって有利な状態へ変換させ、その際に該変動入賞装置に入賞した遊技球が内部の特別入賞口へ入賞することに基づいて特別遊技を起生する機種等がある。そして、これらのパチンコ遊技機で特別遊技が起生されると、変動入賞装置を規定に基づき遊技者にとって有利な状態へ変換させ、多数の入賞が発生して遊技者の獲得利益が高まるようになっていた。
〈発明が解決しようとする課題〉
　しかし、上記したような特別遊技を行える遊技機は、特別遊技において短期間に多量の入賞球が発生して多量の賞球が獲得できることから遊技者に人気があるものの、遊技者は現状の特別遊技の内容で十分に満足しているとは言えず、更に多くの賞球を獲得可能な遊技機を求める傾向にあるが、適正な遊技機として認定されるためには、予め定められている規定の範囲内で特別遊技を行わねばならず、特別遊技中の入賞球を規定以上に増やしたりといった制御を行うことはできない。
　また、現状の遊技機における遊技内容であっても、特別遊技が起生されると、遊技者が多量の賞球を獲得可能であるので、遊技店と遊技者との利益バランスを図るために、特別遊技が起生される頻度を低く設定せざるを得ず、遊技者が特別遊技の終了後に更なる賞球の獲得を目的として遊技を継続した場合に、次回の特別遊技が起生されないままに前回の特別遊技で獲得した賞球を使い果たしてしまうこともあり、遊技者の大きな不満となっていた。
　そこで、遊技店の営業に支障を来さない程度に遊技者の獲得利益量（賞球数）を増やせると共に、遊技者が特別遊技で獲得した賞球を再び遊技で失い難くして、遊技の興趣を高められる遊技機の開発が望まれている。
〈課題を解決するための手段〉
　本発明は上記に鑑み提案されたもので、請求項１に係る発明は、遊技者にとって不利な状態と遊技者にとって有利な状態とに変換可能な主変動入賞装置（例えば、変動入賞装置１１）と、遊技球が入賞可能な始動入賞口（例えば、入賞球通過口９３）を有する始動入賞手段と、上記始動入賞口への遊技球の入賞に基づき所定の遊技を実行し、該所定の遊技の結果態様が予め定められた特別の結果態様となったことに関連して、上記主変動入賞装置を規定に基づき遊技者にとって有利な状態に変換可能な特別遊技を起生させる制御手段（例えば、電気的制御装置１１０）と、を備えた遊技機において、上記始動入賞手段は、上記始動入賞口への遊技球の入賞状態が、遊技者にとって不利な第１状態と、遊技者にとって有利な第２状態とに電気的な作用に基づき変換可能な可動部材（例えば、開閉翼９４，９４）を有する補助変動入賞装置（１２）として構成され、上記制御手段は、所定遊技条件の成立に基づき上記補助変動入賞装置を所定態様により上記第２状態に変換可能な補助変動入賞装置制御手段（例えば、補助変動入賞装置制御部１１２）を備え、上記補助変動入賞装置制御手段には、上記補助変動入賞装置を上記第２状態に変換させる際の変換態様を、
前記可動部材を第１の開放時間で前記第２状態に変換する
前記可動部材を前記第１の開放時間と異なる第２の開放時間で前記第２状態に変換する
〈作用〉
　上記のように構成した請求項１に係る遊技機においては、始動入賞口への遊技球の入賞状態が、遊技者にとって不利な第１状態と、遊技者にとって有利な第２状態とに電気的な作用に基づき変換可能な可動部材を有する補助変動入賞装置は、所定遊技条件が成立すると、補助変動入賞装置制御手段によって第２状態に変換制御される。
　一方、始動入賞手段である補助変動入賞装置の始動入賞口へ遊技球が入賞すると、制御手段により、所定の遊技が実行され、該所定の遊技の結果態様が予め定められた特別の結果態様となったことに関連して、主変動入賞装置を規定に基づき遊技者にとって有利な状態に変換可能な特別遊技が起生される。
　そして、この特別遊技状態が起生されたことに関連して特定遊技状態が発生すると、補助変動入賞装置制御手段に含まれる変換条件変更制御手段が、上記補助変動入賞装置を上記第２状態に変換させる際の変換態様を、
前記可動部材を第１の開放時間で前記第２状態に変換する
前記可動部材を前記第１の開放時間と異なる第２の開放時間で前記第２状態に変換する
〈実施例〉
　次に、本発明の一実施例を添付図面に基づいて詳細に説明する。
　遊技機としてのパチンコ機１は第１図に示すごとく、額縁状の前面枠２へ球供給皿３、該球供給皿３よりオーバーフローした遊技球を受ける球受け皿４、上記球供給皿３より供給される遊技球を弾球する遊技球発射機構を制御するための操作ハンドル５等を設けると共に、前面枠２の窓部を後方から塞ぐように遊技盤６を設けてある。
　遊技盤６は表面にガイドレール７で囲まれた遊技部８を有し、該遊技部８内に様々な入賞具９…や風車１０…等を適宜に配設し、例えば遊技部８のほぼ中央部には主変動入賞装置としての変動入賞装置１１を設けると共に、該変動入賞装置１１の適宜下方には補助変動入賞装置１２を、該補助変動入賞装置１２の左右両側には夫々左始動入賞具１３ａ、右始動入賞具１３ｂを配設してあり、例えば左始動始動入賞具１３ａ内に形成した第１の特定入賞領域には特定入賞検出手段たる左第１始動スイッチ１４ａを、右始動入賞具１３ｂ内に形成した第１の特定入賞領域には特定入賞検出手段たる右第１始動スイッチ１４ｂを、補助変動入賞装置１２内に形成した第２の特定入賞領域には特定入賞検出手段たる第２始動スイッチ１５を設けて、各特定領域を通過する入賞球を検出可能なようにしてある。
　また、遊技盤６の遊技部８の中央下部にはアウト口１６を設けてあると共に、遊技盤６の左右上部等には各種の表示ランプ（図示省略）を配してあり、遊技盤６の裏面側には各入賞具９…や変動入賞装置１１、補助変動入賞装置１２等ヘ入賞した入賞球を集める入賞球集合樋（図示省略）を設けてある。
　パチンコ機１の裏面に設けた裏機構盤１７には球貯留タンク１８、球導出樋１９、賞球排出装置２０、賞球排出樋２１、遊技球発射機構２２等を所要位置に配設してあり、遊技盤６の入賞具９等に入賞して入賞球集合樋から供給される入賞球を適宜処理し、該入賞球数に応じて所定数の賞球を排出するのである。
　また、裏機構盤１７には遊技盤６の入賞球集合樋より集められた入賞球たるセーフ球を検出するためのセーフスイッチ２３、遊技盤６のアウト口１６より回収されたアウト球を検出するためのアウトスイッチ２４を適所に設けてあると共に、例えばパチンコ機１の裏面上部には打球発射装置や入賞球処理装置等の電動装置および電気的制御装置（後に詳述）に電源を供給する電源ターミナル部２５を設けてある。
　変動入賞装置１１は第４図から第９図に示すように、遊技盤６に取り付ける基盤２６のほぼ中央に開口部２７を開設し、開口部２７の上方に鎧部２８を突設し、開口部２７の下方には球受枠２９を突設し、球受枠２９の上部に開口部２７の周縁に沿って球流入阻止部材３０を設け、該球流入阻止部材３０と上記鎧部２８の間に左右１対の可動部材３１，３１を回動可能に取り付けてある。
　また、基盤２６の裏側には凹室ケース３２を突設して凹室３３を形成してある。
　この凹室ケース３２は、底板３４がパチンコ機１の前面に向かって下り傾斜しており、凹室３３内は上部凹室３３ａと下部凹室３３ｂに区画すると共に、凹室３３の左右側壁３５から上方に向かって凸状に湾曲する棚板３６を設けてある。上部凹室３３ａ内には、左右側壁３５側に夫々凹室後方に向かって下り傾斜する入賞球誘導通路３７を形成し、この入賞球誘導通路３７の傾斜下端に上部凹室３３ａと下部凹室３３ｂを連通する連通口３８を開設し、連通口３８には入賞球の通過を検出する入賞個数検出器３９を設けてある。下部凹室３３ｂ内の後壁４０には、方向規制部材４１および誘導作動部材４２が、球誘導状態（第４図（Ｂ））において、連通口３８から底板３４中央部に向かって球を誘導するようにして回動可能に取り付けてあり、底板３４には誘導作動部材４２が挿通する誘導作動部材挿通孔４３を開設し、底板３４の傾斜下端に臨んだ球受枠２９内には、１対の区画部材４４，４４を設けて、中央部に特別入賞口４５を、その左右両側に一般入賞口４６，４６を夫々形成してある。また、特別入賞口４５に連通した特別入賞球流下路４７には特別入賞検出器４８を設けて、特別入賞口４５へ入賞した入賞球を検出している。
　また、上部凹室３３ａの後壁４０には特別遊技の継続回数を表示するための継続回数表示器４９及び変動入賞装置１１内への入賞個数を表示するための入賞個数表示器５０を凹室３３の裏面側から取付けるとともに、下部凹室３３ｂの後壁４０には発光表示部材を有する発光表示器５１を、後壁４０に開設した発光表示部材挿通孔５２…に発光表示部材を挿通させた状態で凹室３３の裏面側から取付けてある。
　また、凹室ケース３２の裏面側には、各可動部材３１，３１を駆動するための左第１ソレノイド５３及び右第１ソレノイド５４を取り付ける第１取付部材５５、方向規制部材４１を駆動するための第２ソレノイド５６を取り付ける第２取付部材５７、誘導作動部材４２を駆動するための第３ソレノイド５８を取り付ける第３取付部材５９、可動部材３１の可動軸６０を挿通する軸受６１等を設けるとともに、中継基盤収納枠体６２を取付けて、電気的に制御される各部材の配線を中継するための中継基盤６３を収納してある。
　上記した可動部材３１は、可動翼片６４と、この可動翼片６４の後端面に一端を取り付けた可動軸６０からなる。そして、可動軸６０を軸受６１に挿通し、可動軸６０の他端には第１作動杆６５を取付け、第１作動杆６５の軸６６を左右第１ソレノイド５３，５４の各プランジャ５３ａ，５４ａに取付けた第１作動片６７の軸穴６８，６８に遊嵌してある。
　したがって、左右第１ソレノイド５３，５４が励磁すると、プランジャ５３ａ，５４ａが吸引され、第１作動杆６５が回動して可動翼片６４が回動し、遊技者にとって有利な第２状態となる。一方、左右第１ソレノイド５３，５４が消磁すると、復帰スプリングの付勢によってプランジャ５３ａ，５４ａが突出し、第１作動杆６５が回動して可動翼片６４が回動し、遊技者にとって不利な第１状態に復帰する。
　上記した方向規制部材４１は、下部凹室３３ｂ内にあって入賞球の流下方向を規制するための規制作動部材６９と、回動軸７０及び支持軸７１を有する第２作動杆７２と、作動ピン７３を有する第２連結部材７４とからなる。そして、凹室３３内に規制作動部材６９を位置させ、凹室ケース３２の後壁４０に開設した円弧状の長孔７５に第２作動杆７２の回動軸７０を凹室ケース３２裏側から挿通して規制作動部材６９の一方の軸穴７６に止着するとともに、支持軸７１を凹室ケース３２の裏面側に設けたボス部７７に挿通して規制作動部材６９の他方の軸穴７８に止着し、第２作動杆７２の長孔７９に第２連結部材７４の作動ピン７３を遊嵌し、第２連結部材７４を第２ソレノイド５６のプランジャ５６ａに取付けてある。
　したがって、第２ソレノイド５６が励磁すると、プランジャ５６ａが吸引され、第２作動杆７２が支持軸７１を中心に回動して、常には凹室３３の中央側から左右側壁３５に向かって下り傾斜した状態の規制作動部材６９が、凹室３３の左右側壁３５から中央側に向かって下り傾斜した状態に回動し、凹室３３内の球を底板３４の中央部に誘導して流下させる。一方、第２ソレノイド５６が消磁すると、復帰スプリングの付勢によりプランジャ５６ａが突出し、第２作動杆７２が支持軸７１を中心に回動して、規制作動部材６９が凹室３３の中央側から左右側壁３５に向かって下り傾斜した状態に回動して、凹室３３内の球を左右側壁３５側に誘導して流下させる。
　上記した誘導作動部材４２は、下部凹室３３ｂ内にあって入賞球を凹室３３の中央部へ誘導するための第１誘導作動部材４２ａと、凹室３３の底板３４に設けられ入賞球を特別入賞口４５へ誘導するための第２誘導作動部材４２ｂと、第１誘導作動部材４２ａに取付けるための回動軸８０及び支持穴８１を有する第３作動杆８２と、作動ピン８３を有する第３連結部材８４とからなる。そして、凹室３３内に第１誘導作動部材４２ａを位置させ、凹室ケース３２の後壁４０に開設した円弧状の長孔８５に第３作動杆８２の回動軸８０を凹室ケース３２裏側から挿通して第１誘導作動部材４２ａの軸穴に取付けるとともに、第１誘導作動部材４２ａの支持軸８６を凹室ケース３２の裏面側に設けたボス部８７に挿通して第３作動杆８２の支持穴８１に止着し、第３作動杆８２の長孔８１に第３連結部材８４の作動ピン８３を遊嵌し、第３連結部材８４を第３ソレノイド５８のプランジャ５８ａに取付けてある。また、第２誘導作動部材４２ｂを底板３４に開設した誘導作動部材挿通孔４３に臨ませ、後端にクランク部材８８を取付け、クランク部材８８の軸８９を第３連結部材８４の長孔９０に遊嵌する。
　したがって、第３ソレノイド５８が励磁すると、プランジャ５８ａが吸引され、第３作動杆８２が支持軸８６を中心に回動して、常には凹室３３の中央側から左右側壁３５に向かって下り傾斜した状態の第１誘導作動部材４２ａが、凹室３３の左右側壁３５から中央側に向かって下り傾斜した状態に回動し、凹室３３内の球を底板３４の中央部に誘導して流下させるとともに、クランク部材８８が回動し、常には凹室３３の左右側壁３５から中央部に向かって下り傾斜している第２誘導作動部材４２ｂが回動して、翼面が底板３４とほぼ平行な状態となり、入賞球を特別入賞口４５に向かって誘導して流下させる。
　一方、第３ソレノイド５８が消磁すると、復帰スプリングの付勢によりプランジャ５８ａが突出し、第３作動杆８２が支持軸８６を中心に回動して、第１誘導作動部材４２ａが凹室３３の中央側から左右側壁３５に向かって下り傾斜した状態に回動して、凹室３３内の球を左右側壁３５側に誘導して流下させるとともに、クランク部材８８が回動し、第２誘導作動部材４２ｂが凹室３３の中央部から左右側壁３５に向かって下り傾斜して、入賞球を一般入賞口４６に向かって誘導して流下させる。
　また、本実施例においては、方向規制部材４１及び第１誘導作動部材４２ａの前面側に人形を模した装飾板９１が設けてあり、方向規制部材４１及び第１誘導作動部材４２ａをこの人形の足に見立て、方向規制部材４１及び第１誘導作動部材４２ａが回動すると、あたかも人形がラインダンスを踊っているように見える。したがって、方向規制部材４１及び第１誘導作動部材４２ａは、入賞球の流下方向を規制変更するばかりでなく、装飾効果も有し、遊技上の興趣を高めることができる。
　補助変動入賞装置１２は、第１０図及び第１１図に示すように、取付基板９２の適所に始動入賞口としての入賞球通過口９３を開設し、該入賞球通過口９３へ遊技球が流下可能な間隙を生ぜしめた状態で一対の可動部材としての開閉翼９４，９４を軸着し、該開閉翼９４，９４間を流下した球を上記入賞球通過口９３へ導くように、入賞球通過口９３の下縁部より前面側に突出する球受け部９５を形成してある。なお、入賞球通過口を通過した球は第２の特定領域へ至り、上記第２始動スイッチ１５によって検出された後に入賞球集合樋へ導かれ、入賞球として適宜に処理される。
　各開閉翼９４，９４に設けた回動軸９６は、取付基板９２を貫通して延在しており、その後端には開閉翼９４，９４を左右に開閉動作させるためのピン９７を植設した操作レバー９８が固定してある。そして、この操作レバー９８のピン９７は、駆動源であるソレノイド９９のプランジャ下端に設けた操作部材１００の係合孔１０１内に緩く挿入されている。このため、左右の開閉翼９４，９４は、プランジャの自重及び復帰ばねの作用により、通常は第１０図に示すように閉じて打球を受け入れ難い状態、即ち遊技者にとって不利な第１状態を維持している。ソレノイド９９は、駆動基板１０２の裏面に突設したボスに取り付けられているが、操作部材１００及びその係合孔１０１が左右２つの操作レバー９８，９８夫々のピン９７，９７に対して共通に形成されている。
　ソレノイド９９を励磁して操作部材１００を引き上げると、ピン９７が上方向に移動し、各操作レバー９８が回動軸９６を中心として外開きに回動して開閉翼９４，９４が開き、打球を受け入れ易い状態、即ち遊技者にとって有利な第２状態に変換する。なお、取付基板９２の背面側には発光ランプ１０３…を適宜に備える第１ランプ基板１０４、第２ランプ基板１０５を夫々配設してあり、例えば開閉翼９４，９４の開閉状態に応じて点灯状態、点滅状態、消灯状態に変化する。
　更に、上記入賞球通過口９３の前面側に位置する前面板１０６には、複数の識別情報を可変表示可能な可変表示装置として、例えば７セグメントよりなる可変表示器１０７を設けてあり、遊技盤６の適所（第２図においては変動入賞装置１１の左右両側）に設けた補助特定入賞具１０８，１０８内に形成した補助特定領域を流下する打球が補助特定入賞検出器１０９，１０９によって検出されることに伴って、電気的制御装置１１０が上記可変表示器１０７を変換表示させるのである。そして、該可変表示器１０７に停止表示された図柄が予め定められた特定の識別情報（例えば「７」）であった場合には、所定条件に応じて補助変動入賞装置１２を遊技者にとって有利な第２状態に変換させる。
　次に、上記電気的制御装置１１０を第１２図に示す概略ブロック図に基づいて詳細に説明する。なお、この電気的制御装置１１０は、パチンコ機１裏面側の裏機構盤１７等に取り付けてある。
　当該パチンコ機の遊技制御（入賞球通過口９３への遊技球の入賞に基づいて行う所定遊技の実行制御や、該所定遊技の結果態様が定められた特別の結果態様となったことに関連して、変動入賞装置１１を規定に基づき遊技者にとって有利な状態に変換可能な特別遊技を起生させる制御等）を行う制御手段としての電気的制御装置１１０は、変動入賞装置１１の駆動制御を行う変動入賞装置制御部１１１と、補助変動入賞装置１２の駆動制御を行う補助変動入賞装置制御手段としての補助変動入賞装置制御部１１２とに大別される。なお、第１２図においては図示を省略したが、各種入賞具９…等への入賞に伴って賞球排出装置２０を駆動制御して所定数の賞球を排出させたり、遊技状態に応じた所定の音声出力・表示出力等を行う通常遊技制御部、各種遊技データを収集・演算処理するデータ処理部、該データを管理装置等へ送信したり、管理装置からの制御データを受信したりするデータ送受信制御部等を備える。
　変動入賞装置１１を規定により第２状態へ繰り返し変換可能な特別遊技を起生する特別遊技起生手段としての機能を備えた変動入賞装置制御部１１１には、始動入賞制御手段１１３を設けてあり、左右第１始動スイッチ１４ａ，１４ｂ或いは第２始動スイッチ１５より始動入賞検出信号が入力されると、最先の始動入賞検出信号を変動入賞装置駆動制御手段１１４へ供給し、該変動入賞装置駆動制御手段１１４が変動入賞装置１１の動作制御を行っている間は、左右第１始動スイッチ１４ａ，１４ｂ或いは第２始動スイッチ１５より入力された他の始動入賞検出信号を無効にするのである。
　上記始動入賞制御手段１１３より供給された第１始動入賞検出信号または第２始動入賞検出信号は変動入賞装置駆動制御手段１１４の可動部材駆動制御手段１１５へ入力され、該可動部材駆動制御手段１１５はこれに伴って左右第１ソレノイド５３，５４を所定回数・所定時間だけ駆動させ、可動部材３１，３１を左右に回動させることで、変動入賞装置１１を遊技者にとって有利な第２状態に変換するのである。そして、第２状態に変換された変動入賞装置１１へ入賞した入賞球が特別入賞口４５へ入賞し、この特別入賞球を特別入賞検出器４８が検出すると、特別遊技の権利が発生し、変動入賞装置駆動制御手段１１４内の特別遊技制御手段１１６が上記可動部材駆動制御手段１１５及び誘導部材駆動制御手段１１７を適宜に制御することで、左右第１ソレノイド５３，５４、第２ソレノイド５６、第３ソレノイド５８を適宜に駆動させ、可動部材３１，３１の開閉動作および誘導作動部材４２ａ，４２ｂの揺動動作を行わしめるのである。
　上記のようにして行われる特別遊技は、変動入賞装置１１が所定回数（例えば１８回）第１状態と第２状態とに変換されるか、変動入賞装置１１内へ入賞した球が所定個数（例えば１０個）に達するか、最先の条件が成立するまでを１サイクルとし、該サイクル中に球が特別入賞口４５（Ｖ入賞口または継続入賞口）に入賞することによってサイクルの更新が行われ、該サイクルの継続更新回数が所定回数（例えば１６回）になるまで特別遊技を継続できる。
　なお、変動入賞装置１１への入賞個数は入賞個数計数手段１１８によって計数され、計数値たる入賞個数を入賞個数表示器５０へ表示出力する。また、特別遊技におけるサイクルの継続更新回数は継続回数計数手段１１９によって計数され、計数値たる継続回数を継続回数表示器４９へ表示出力する。
　次いで、上記可変表示器１０７に特定の識別情報が停止表示されることに基づいて補助変動入賞装置１２を規定により第２状態へ変換駆動させる補助変動入賞装置制御手段として機能する補助変動入賞装置制御部１１２について説明する。
　補助変動入賞装置制御部１１２には補助特定入賞記憶手段１２０を設けてあり、この補助特定入賞記憶手段１２０は、補助特定入賞検出器１０９，１０９が入賞球を検出することに伴なって発する検出信号を予め設定した範囲内で記憶しておくもので、設定範囲を越えると、検出信号を受信しても実質的に無効な信号として処理する。なお、この補助特定入賞記憶手段１２０が記憶している入賞記憶数は、パチンコ機１の適所に設けた記憶表示手段１２１へ表示出力するものとしてある。
　上記補助特定入賞記憶手段１２０が記憶する補助特定入賞記憶に基づいて、乱数取出し手段１２２は乱数生成手段１２３から適宜な乱数を取り出し、該乱数に基づいて決定した表示図柄を可変表示制御手段１２４へ供給し、上記可変表示制御手段１２４が可変表示器１０７を変換制御して、乱数取出し手段１２２が決定した表示図柄を可変表示器１０７に表示させる。
　また、乱数取出し手段１２２が決定した表示図柄は比較判定手段１２５へも供給され、該比較判定手段１２５は表示図柄が賞態様に該当するか否かを比較する。そして、表示図柄が賞態様を形成していた場合には、開放時間決定手段１２６を作動させ、該開放時間決定手段１２６が決定した開放時間に基づいて、補助変動入賞装置駆動制御手段１２７が補助変動入賞装置１２のソレノイド９９を駆動させ、補助変動入賞装置１２の開閉翼９４，９４が左右方向に回動した、遊技者にとって有利な第２状態に補助変動入賞装置１２を変換させる。
　しかして、上記開放時間決定手段１２６は例えば２種類の計時手段たる第１タイマ１２８（例えば０．５秒）及び第２タイマ１２９（例えば６秒）を備えるものとしてあり、当該パチンコ機１が特定遊技状態にあるか否かで、ソレノイド９９を駆動させる時間を計時するためのタイマを選択し、上記補助変動入賞装置駆動制御手段１２７の作動時間を異らしめるのである。すなわち、補助変動入賞装置制御部１１２は、補助変動入賞装置１２の第２状態への変換制御を第１変換終了条件（第１タイマ１２８の計時する０．５秒のタイムアップ）を以て終了する第１変換状態と、補助変動入賞１２の第２状態への変換制御を上記第１変換状態における第１変換終了条件よりも遊技者に有利な第２変換終了条件（第２タイマ１２９の計時する６秒のタイムアップ）を以て終了する第２変換状態と、に切り換えて補助変動入賞装置１２の変換制御を行うことができるのである。
　ここで、第１，第２タイマ１２８，１２９の選択要件である特定遊技状態を、例えば特別遊技状態の継続時間中と設定すると、上記変動入賞装置駆動制御手段１１４内に設けた特別遊技制御手段１１６が特定遊技状態検出手段として機能することとなり、該特別遊技制御手段１１６から特別遊技状態検出信号が入力されている間（特別遊技状態が起生されている間）だけ、開放時間決定手段１２６は第２タイマ１２９を選択し、６秒間継続して補助変動入賞装置１２を遊技者にとって有利な第２状態に変換するのである。従って、この開放時間決定手段１２６は、補助変動入賞装置１２を第２状態に変換させる際の変換態様を、第１の変換態様（第１タイマ１２８の計時する０．５秒のタイムアップを以て開閉翼９４，９４を第１状態に戻す態様）と、該第１の変換態様よりも遊技者に有利な第２の変換態様（第２タイマ１２９の計時する６秒のタイムアップを以て開閉翼９４，９４を第１状態に戻す態様）と、の何れかに変換制御可能な変換条件変更制御手段として機能するのである。
　なお、特定遊技状態の設定は特定遊技状態に限らず、例えば特別遊技が終了した時点から次回の特別遊技が開始されるまでの問を特定遊技状態と設定したり、特別遊技の発生後あるいは終了後における所定条件の成立（例えば所定時間の経過やセーフ球、アウト球、打込球が所定数に達する等）までを特定遊技状態としたり、これらの条件を複合的に組み合わせる等して、適宜に設定すればよい。
　上記のように、特定遊技状態の成否によって補助変動入賞装置１２の変換終了条件（駆動時間）を変えることにより、補助変動入賞装置１２が第２状態を維持する時間を適宜に調整し、もって遊技者が獲得する賞球数を調節することが可能となるので、障害釘を不当に屈曲させることなく賞球排出量を随意に増減させることができ、遊技者が満足する程に興趣を高められるパチンコ機１とすることができる。
　なお、変換終了条件として開放時間を決定する開放時間決定手段１２６は上記のような第１，第２タイマ１２８，１２９を備えるものに限らず、２種類以上の特定遊技状態を設定することによって、補助変動入賞装置１２を第２状態に変換する時間を多段階的に変化させる（複数の第２変換終了条件を備える）ように構成したり、或いは開放時間決定手段１２６からタイマを廃し、補助変動入賞装置駆動制御手段１２７に駆動時間設定用のタイマを複数設け、開放時間決定手段１２６が補助変動入賞装置駆動制御手段１２７に設けたタイマの中から適宜なタイマを作動させるように構成してもよい。さらに、予め設定された所定時間を開放時間決定手段１２６が選択するのではなく、過去のデータ（特別遊技の発生回数・サイクル継続数や賞球排出量等）に基づいて、開放時間決定手段１２６が補助変動入賞装置１２の変換時間を新たに算出するように構成してもよい。
　加えて、特定遊技中に補助特定入賞検出器１０９が補助特定入賞球を検出することに伴って変換表示を行った可変表示器１０７の停止図柄によって、開放時間決定手段１２６が開放時間を決定するように構成してもよい。例えば、表示図柄の数字と開放時間とを対応させた開放時間を開放時間決定手段１２６が決定するように構成したり（停止図柄が数字の「１」であった場合には１秒間、停止図柄が「６」であった場合には６秒間継続して補助変動入賞装置１２を第２状態に変換させる等）、或いは、予め定めた表示図柄と開放時間との関係に基づいて、開放時間決定手段１２６が開放時間を決定するように構成したり（表示図柄が「７」であった場合には６秒間、表示図柄が「３」であった場合には４秒間、他の表示図柄であった場合には一律２秒間継続して補助変動入賞装置１２を第２状態に変換させる等）することで、２種類以上の特定遊技状態を設定することなく、単一の特定遊技状態において開放時間を様々に異らしめることが可能となり、遊技上の興趣を一層高めることができる。
　また、補助特定入賞検出手段は、前記実施例のように、補助特定入賞具１０８内の補助特定領域に設ける補助特定入賞検出器１０９に限らず、遊技盤６の表面適所を補助特定領域とし、該補助特定領域に補助特定通過ゲートとしての所謂通過チャッカを配することで、該補助特定領域を通過した遊技球を検出するように構成してもよく、補助特定領域を流化した球を検出することができればどのような構成でもよい。
　さらに、可変表示器１０７も７セグメント式のものに限らず、数字や図柄などの識別標識を可変表示することができればどような構成でもよい。
　また、変動入賞装置１４内に補助特定領域を設けて、該特定領域に入賞した球を特定入賞球として検出してもよい。例えば、遊技盤６に向って左側の一般入賞口５２ａを特定入賞口として設定し、該特定入賞口に入った球を特定球検出手段としての球検出器により検出するように構成してもよい。
　また、以上に説明した実施例は、球が始動口に入賞することを条件として変動入賞装置１４の可動球受け部材がソレノイドの駆動によって遊技者にとって不利な第１状態から遊技者にとって有利な第２状態に所定回数（例えば１回、または２回）変換し、この第２状態に変換したときに球が特別入賞口４５（Ｖ入賞口や継続入賞口を含む）に入賞することで特別遊技が開始される所謂第２種のパチンコ機（所謂ハネモノタイプ）であるが、本発明は、この遊技内容に限定されるものではない。
　例えば、球が始動口として機能する入賞口に入賞することにより別遊技の権利が発生し、複数の可変表示器を備える可変表示装置によって行った別遊技で、各可変表示器の表示図柄が賞態様を形成した場合に特別遊技の権利が発生し、特別遊技の開始に伴って第２状態に変換される変動入賞装置の変換時間が所定時間（例えば３０秒）になるか、この第２状態中に変動入賞装置に入賞した入賞球数が所定数（例えば１０個）に達するか、最先の条件が満たされた時点で変動入賞装置を第１状態に復帰させるまでを“１サイクル”とし、当該サイクル中に継続入賞球が検出されることに基づいて、所定回数（例えば１６回）までサイクルを継続更新させる、所謂第１種のパチンコ機であってもよい。この様なパチンコ機においても、上記実施例と同様に、特別遊技の開始或いは終了を特定遊技状態の発生と設定したり、各所定条件を複合的に組み合わせることによって、特定遊技状態を適宜に定めればよい。
　さらに、特別入賞ロへ打球が入賞することに伴って特別権利が発生し、該特別権利の有効中に球が特定の権利入賞口に入賞することを条件として、変動入賞装置を第１状態から第２状態に変換させ、第２状態変換継続時間が所定時間（例えば１０秒）になるか、変動入賞装置への入賞個数が所定数（例えば１０個）に達するか、最先の条件が成立して変動入賞装置を第１状態に復帰させるまでを“１サイクル”とし、当該サイクル終了後に継続入賞球が検出されることに基づいてサイクルの継続更新を行い、このサイクル継続更新回数が所定回数（例えば１６回）に達するか、或いは特別遊技の権利発生後に始動入賞口へ入賞した始動入賞球が所定数（例えば１６個）に達するまでサイクル更新による特別遊技を継続更新させる、所謂第３種のパチンコ機であってもよい。この様なパチンコ機においても、上記実施例と同様に、特別遊技の開始或いは終了を特定遊技状態の発生と設定したり、各所定条件を複合的に組み合わせることによって、特定遊技状態を適宜に定めればよい。
　また、補助変動入賞装置１２は、上記した所謂電動チューリップタイプのものに限定されるものではなく、遊技者にとって不利な第１状態と、遊技者にとって有利な第２状態に変換可能であればどのような構成でもよい。したがって、上記実施例においては、第１状態においても遊技球を１個通過させ得る間隙が開閉翼９４，９４間に形成されるものとしたが、第１状態では開閉翼９４，９４の上端間隔が路々閉ざされた状態となり、遊技球の通過を完全に阻止するタイプのものにしてもよい。
〈発明の効果〉
　以上説明したように、請求項１に係る遊技機によれば、始動入賞口への遊技球の入賞状態が、遊技者にとって不利な第１状態と、遊技者にとって有利な第２状態とに電気的な作用に基づき変換可能な可動部材を有する補助変動入賞装置は、所定遊技条件が成立すると、補助変動入賞装置制御手段によって第２状態に変換制御されることとなり、一方、始動入賞手段である補助変動入賞装置の始動入賞口へ遊技球が入賞すると、制御手段により、所定の遊技が実行され、該所定の遊技の結果態様が予め定められた特別の結果態様となったことに関連して、主変動入賞装置を規定に基づき遊技者にとって有利な状態に変換可能な特別遊技が起生されると、この特別遊技状態が起生されたことに関連して特定遊技状態が発生すると、補助変動入賞装置制御手段に含まれる変換条件変更制御手段が、上記補助変動入賞装置を上記第２状態に変換させる際の変換態様を、
前記可動部材を第１の開放時間で前記第２状態に変換する
、前記可動部材を前記第１の開放時間と異なる第２の開放時間で前記第２状態に変換する
　これにより、遊技に幅のある遊技機を提供することができ、遊技者の興趣を効果的に高めることが可能となる。
　しかも、変換条件変更制御手段によって第２の変換態様へ変更することにより、補助変動入賞装置の始動入賞ロヘの球入賞が容易となって、始動入賞口への遊技球の入賞に基づく所定遊技が実行されやすくなるので、特別遊技を起生させるか否かに関わる所定遊技の実行頻度が高められることから、特別遊技の起生に対する期待感がより高められるようになる。
　更に、変換条件変更制御手段による第２の変換態様への変更は、特別遊技の起生に関連して発生する特定遊技状態において行うものとしたので、主変動入賞装置に関わる遊技（特別遊技）と、補助変動入賞装置に関わる遊技とが、相互に関連して遊技実行条件達成の難易度が変化することとなり、従来にない斬新で興趣の高い遊技を実現することができる。また、特定遊技発生を、特別遊技が終了した場合に行えば、特別遊技が終了した後に、次回の特別遊技が容易に起生されることとなるので、特別遊技の起生に対する遊技者の期待感を一層高めることができ、興趣に富んだ遊技を実現可能となる。
【図面の簡単な説明】
　図面は本発明の実施例を示すもので、第１図は遊技機たるパチンコ機の正面図、第２図は遊技盤の正面図、第３図は遊技機たるパチンコ機の裏面図、第４図から第９図は変動入賞装置で、第４図は正面図、第５図は前面側俯瞰図、第６図（Ａ）は打球を一般入賞ロへ誘導する状態を示す一部欠截した斜視図、第６図（Ｂ）は打球を特別入賞ロへ誘導する状態を示す一部欠截した斜視図、第７図は裏側から見た分解斜視図、第８図は方向規制部材及び誘導作動部材の斜視図、第９図は縦断面図、第１０図は補助変動入賞装置の第１状態における斜視図、第１１図は補助変動入賞装置の第２状態における裏側からみた分解斜視図、第１２図は電気的制御装置の概略ブロック図である。
　図中、１はパチンコ機、１１は変動入賞装置、１２は補助変動入賞装置、可変表示器１０７、変動入賞装置制御部１１１、補助変動入賞装置制御部１１２である。